(57)【要約】【課題】投射レンズを交換可能なプロジェクタにおいて、使用される投射レンズごとに簡単に過去の設定を再現する。【解決手段】画像投射装置２は、投射レンズ１が着脱可能に装着される。該画像投射装置は、該画像投射装置に対する投射レンズの過去の装着の有無を判定し、過去の装着がある場合に該過去の装着時における投射レンズおよび画像投射装置のうち少なくとも一方の設定を示す設定情報を、投射レンズまたは画像投射装置に設けられた記憶手段から取得する。制御手段１１０は、投射レンズが画像投射装置に再び装着されたときに、投射レンズおよび画像投射装置のうち上記少なくとも一方を設定情報に対応する設定になるように制御する。【選択図】図１
2020008804.tif 000002
【特許請求の範囲】
【請求項１】
投射レンズが着脱可能に装着される画像投射装置であって、
前記画像投射装置に対する前記投射レンズの過去の装着の有無を判定する判定手段と、
前記過去の装着がある場合に該過去の装着時における前記投射レンズおよび前記画像投射装置のうち少なくとも一方の設定を示す設定情報を、前記投射レンズまたは前記画像投射装置に設けられた記憶手段から取得する情報取得手段と、
前記投射レンズが前記画像投射装置に再び装着されたときに、前記投射レンズおよび前記画像投射装置のうち前記少なくとも一方を前記設定情報に対応する設定になるように制御する制御手段とを有することを特徴とする画像投射装置。
【請求項２】
前記判定手段は、前記投射レンズから取得した該投射レンズの識別情報と前記画像投射装置の識別情報とを用いて前記過去の装着の有無を判定することを特徴とする請求項１に記載の画像投射装置。
【請求項３】
過去における前記投射レンズと該投射レンズが装着された１または複数の画像投射装置との組合せを示す組合せ情報が前記投射レンズに設けられた前記記憶手段に記憶されており、
前記判定手段は、前記投射レンズから取得した前記組合せ情報を用いて前記過去の装着の有無を判定することを特徴とする請求項１または２に記載の画像投射装置。
【請求項４】
過去における前記画像投射装置と該画像投射装置に装着された１または複数の投射レンズとの組合せを示す組合せ情報が前記画像投射装置に設けられた前記記憶手段に記憶されており、
前記判定手段は、前記組合せ情報を用いて前記過去の装着の有無を判定することを特徴とする請求項１または２に記載の画像投射装置。
【請求項５】
前記画像投射装置に対する前記投射レンズの前記過去の装着時における前記設定情報が前記投射レンズおよび前記画像投射装置のうち一方に設けられた前記記憶手段には記憶され、他方に設けられた前記記憶手段には記憶されていない場合に、
前記制御手段は、前記一方の前記記憶手段から前記設定情報を取得することを特徴とする請求項１から４のいずれか一項に記載の画像投射装置。
【請求項６】
前記画像投射装置に対する前記投射レンズの前記過去の装着時における前記設定情報が前記投射レンズおよび前記画像投射装置のうち一方に設けられた前記記憶手段には記憶され、他方に設けられた前記記憶手段には記憶されていない場合に、
前記制御手段は、前記一方の前記記憶手段に記憶された前記設定情報を前記他方の前記記憶手段に複製することを特徴とする請求項１から５のいずれか一項に記載の画像投射装置。
【請求項７】
前記他方の前記記憶手段に前記設定情報を複製する際に、前記他方の前記記憶手段に記憶されていた他の設定情報を削除することを特徴とする請求項６に記載の画像投射装置。
【請求項８】
前記設定情報は、前記投射レンズのフォーカス、周辺フォーカス、ズームおよび光軸に直交する方向へのシフトのうち少なくとも１つの設定を示すことを特徴とする請求項１から７のいずれか一項に記載の画像投射装置。
【請求項９】
前記画像投射装置は、光源から前記投射レンズに向かう光に画像を形成させる画像形成素子を有しており、
前記設定情報は、前記画像形成素子を駆動する信号に対する処理に関する設定を示すことを特徴とする請求項１から８のいずれか一項に記載の画像投射装置。
【請求項１０】
前記画像投射装置の設置姿勢を検出する姿勢検出手段を有し、
前記記憶手段は、前記画像投射装置に対する前記投射レンズの前記過去の装着時における前記設置姿勢とともに前記設定情報を記憶しており、
前記制御手段は、前記投射レンズが前記画像投射装置に再び装着されたときの前記設置姿勢が前記過去の装着時における前記設置姿勢に一致する場合に、前記投射レンズおよび前記画像投射装置のうち前記少なくとも一方を前記設定情報に対応する設定になるように制御することを特徴とする請求項１から９のいずれか一項に記載の画像投射装置。
【請求項１１】
被投射面までの投射距離を測定する測距手段を有し、
前記記憶手段は、前記画像投射装置に対する前記投射レンズの前記過去の装着時における前記投射距離とともに前記設定情報を記憶しており、
前記制御手段は、前記投射レンズが前記画像投射装置に再び装着されたときの前記投射距離が前記過去の装着時における前記投射距離に一致する場合に、前記投射レンズおよび前記画像投射装置のうち前記少なくとも一方を前記設定情報に対応する設定になるように制御することを特徴とする請求項１から１０のいずれか一項に記載の画像投射装置。
【請求項１２】
画像投射装置に着脱可能に装着される投射レンズであって、
前記画像投射装置に対する前記投射レンズの過去の装着時における少なくとも前記投射レンズの設定を示す設定情報を記憶する記憶手段と、
前記投射レンズが前記画像投射装置に再び装着されたときに、前記画像投射装置により前記設定情報を用いて制御される被制御手段とを有することを特徴とする投射レンズ。
【請求項１３】
前記記憶手段は、前記画像投射装置に対する前記投射レンズの前記過去の装着時における設置姿勢とともに前記設定情報を記憶していることを特徴とする請求項１２に記載の投射レンズ。
【請求項１４】
前記記憶手段は、前記画像投射装置に対する前記投射レンズの前記過去の装着時における被投射面までの投射距離とともに前記設定情報を記憶していることを特徴とする請求項１２または１３に記載の投射レンズ。
【請求項１５】
投射レンズが着脱可能に装着される画像投射装置の制御方法であって、
前記画像投射装置に対する前記投射レンズの過去の装着の有無を判定するステップと、
前記過去の装着がある場合に該過去の装着時における前記投射レンズおよび前記画像投射装置のうち少なくとも一方の設定を示す設定情報を、前記投射レンズまたは前記画像投射装置に設けられた記憶手段から取得するステップと、
前記投射レンズが前記画像投射装置に再び装着されたときに、前記投射レンズおよび前記画像投射装置のうち前記少なくとも一方を前記設定情報に対応する設定になるように制御するステップとを有することを特徴とする画像投射装置の制御方法。
【請求項１６】
画像投射装置のコンピュータに、請求項１５に記載の制御方法に従う処理を実行させることを特徴とするコンピュータプログラム。
【発明の詳細な説明】
【技術分野】
【０００１】
本発明は、複数の交換式投射レンズを装着可能な画像投射装置（以下、プロジェクタという）に関する。
【背景技術】
【０００２】
プロジェクタにおいては、その設置姿勢や投射距離等に応じて、ユーザによる投射レンズのフォーカス設定、ズーム設定およびシフト設定や幾何学歪の補正設定等の調整が行われる。
【０００３】
特許文献１には、特定のフォーカス、ズームおよびシフトの設定パラメータをメモリに記憶可能なプロジェクタが開示されている。このプロジェクタでは、設定パラメータが異なる設定状態から、簡単に記憶された設定パラメータに対応した設定を再現することができる。
【先行技術文献】
【特許文献】
【０００４】
【特許文献１】特開２００３−２９５３２１号公報
【発明の概要】
【発明が解決しようとする課題】
【０００５】
しかしながら、複数の交換式投射レンズを装着可能なプロジェクタにおいては、同じ設定パラメータを光学仕様が異なるすべての交換式投射レンズに使用することはできない。また、同じ投射レンズに対して同じ設定パラメータを使用しても、プロジェクタの設置姿勢や投射距離等によって、被投射面上での画像のピント状態、サイズ（画角）およびシフト位置が変わる。
【０００６】
本発明は、投射レンズを交換可能なプロジェクタにおいて、使用される投射レンズごとに簡単に過去の設定を再現することができるようにしたプロジェクタを提供する。
【課題を解決するための手段】
【０００７】
本発明の一側面としての画像投射装置は、投射レンズが着脱可能に装着される。該画像投射装置は、該画像投射装置に対する投射レンズの過去の装着の有無を判定する判定手段と、過去の装着がある場合に該過去の装着時における投射レンズおよび画像投射装置のうち少なくとも一方の設定を示す設定情報を、投射レンズまたは画像投射装置に設けられた記憶手段から取得する情報取得手段と、投射レンズが画像投射装置に再び装着されたときに、投射レンズおよび画像投射装置のうち上記少なくとも一方を設定情報に対応する設定になるように制御する制御手段とを有することを特徴とする。
【０００８】
また、本発明の他の一側面としての投射レンズは、画像投射装置に着脱可能に装着される。該投射レンズは、画像投射装置に対する投射レンズの過去の装着時における少なくとも投射レンズの設定を示す設定情報を記憶する記憶手段と、投射レンズが画像投射装置に再び装着されたときに、画像投射装置により設定情報を用いて制御される被制御手段とを有することを特徴とする。
【０００９】
また、本発明の他の一側面としての制御方法は、投射レンズが着脱可能に装着される画像投射装置に適用される。該制御方法は、画像投射装置に対する投射レンズの過去の装着の有無を判定するステップと、過去の装着がある場合に該過去の装着時における投射レンズおよび画像投射装置のうち少なくとも一方の設定を示す設定情報を、投射レンズまたは画像投射装置に設けられた記憶手段から取得するステップと、投射レンズが画像投射装置に再び装着されたときに、投射レンズおよび画像投射装置のうち上記少なくとも一方を設定情報に対応する設定になるように制御するステップとを有することを特徴とする。
【００１０】
なお、画像投射装置のコンピュータに、上記制御方法に従う処理を実行させるコンピュータプログラムも、本発明の他の一側面を構成する。
【発明の効果】
【００１１】
本発明によれば、投射レンズを交換可能な画像投射装置において、装着された投射レンズごとに簡単に過去の設定を再現することができる。
【図面の簡単な説明】
【００１２】
【図１】本発明の実施例１であるプロジェクタの構成を示すブロック図。
【図２】実施例１において行われる処理を示すフローチャート。
【図３】本発明の実施例２であるプロジェクタにおいて行われる処理を示すフローチャート。
【図４】実施例１および実施例２におけるデータ構成例を示す図。
【図５】実施例２におけるデータ複製処理を示す模式図。
【図６】実施例２におけるデータ複製処理を示す別の模式図
【図７】本発明の実施例３であるプロジェクタの構成を示すブロック図。
【図８】実施例３のプロジェクタの設置姿勢を示す図。
【図９】実施例３において行われる処理を示すフローチャート。
【図１０】実施例３におけるデータ構成例を示す図。
【図１１】本発明の実施例４であるプロジェクタの構成を示すブロック図。
【図１２】実施例４において行われる処理を示すフローチャート。
【図１３】実施例４におけるデータ構成例を示す図。
【発明を実施するための形態】
【００１３】
以下、本発明の実施例について図面を参照しながら説明する。
【実施例１】
【００１４】
図１は、本発明の実施例１である画像投射装置としてのレンズ交換式プロジェクタ２および該プロジェクタ２に装着された投射レンズ１の構成を示している。プロジェクタ２には、投射レンズ１を含む複数の投射レンズが着脱可能に装着することができる。
【００１５】
投射レンズ１は、不図示のフォーカスレンズ、周辺フォーカスレンズおよびズームレンズを含む投射光学系１ａを有する。また、投射レンズ１は、不揮発性メモリ（ＥＥＰＲＯＭ）等により構成されたレンズ情報記憶部１０を有する。レンズ情報記憶部１０は、投射レンズ１の種別（機種）や個体を識別可能なレンズ識別情報（レンズＩＤ）を記憶している。またレンズ情報記憶部１０は、投射レンズ１と該投射レンズ１が過去に装着された１または複数のプロジェクタ（プロジェクタ２を含む）との組合せを示すレンズ組合せ情報と過去の装着時の投射パラメータを示す投射設定情報とを紐付けたレンズ投射設定テーブルを記憶している。レンズＩＤは、投射レンズ１の機種名称や製造番号等である。
【００１６】
投射設定情報は、過去の画像投射においてユーザが設定した投射レンズ１のフォーカス、周辺フォーカス、ズームおよびシフト状態等の光学パラメータや、プロジェクタ２における後述する幾何学歪の補正（信号処理）に用いられる補正パラメータ等の設定パラメータの情報である。投射設定情報をレンズ情報記憶部１０に記憶しておくことで、レンズ情報記憶部１０から投射設定情報をロードするだけで、該投射設定情報を記憶させた時点での投射レンズ１の光学設定や幾何学歪みの補正設定を、簡単に再現することができる。
【００１７】
さらに投射レンズ１は、それぞれ被制御手段としてのフォーカス駆動制御部２０、周辺フォーカス駆動制御部２３およびズーム駆動制御部３０を有する。フォーカス駆動制御部２０は、フォーカスレンズをアクチュエータにより光軸方向に駆動するフォーカス駆動部２１と、エンコーダ等によりフォーカスレンズの光軸方向での位置を取得するフォーカス位置取得部２２とを有する。フォーカスレンズを光軸方向に駆動することで、投射レンズ１から投射される画像の不図示のスクリーン等の被投射面上でのピントを調整することができる。
【００１８】
周辺フォーカスの駆動制御部２３は、周辺フォーカスレンズをアクチュエータにより光軸方向に駆動する周辺フォーカス駆動部２４と、エンコーダ等により周辺フォーカスレンズの光軸方向での位置を取得する周辺フォーカス位置取得部２５とを有する。周辺フォーカスレンズを光軸方向に駆動することで、投射レンズ１から投射される画像の周辺部の被投射面上でのピントを調整することができる。
【００１９】
ズーム駆動制御部３０は、ズームレンズをアクチュエータにより光軸方向に駆動するズーム駆動部３１と、エンコーダ等によりズームレンズの光軸方向での位置を取得するズーム位置取得部３２とを有する。ズームレンズを光軸方向に駆動することで、投射レンズ１から投射される画像の画角を調整することができる。
【００２０】
プロジェクタ２は、光源２ａおよび画像形成部８０を有する。光源２ａは、放電ランプ、ＬＥＤおよびレーザダイオード等により構成され、照明光を発する。画像形成部８０は、液晶パネルやデジタルマイクロミラーデバイス等により構成される不図示の画像形成素子（光変調素子）と、画像形成素子に照明光を導き、画像形成素子からの画像光を投射レンズ１に導く不図示の光学系とを含む。
【００２１】
また、プロジェクタ２は、シフト駆動制御部４０、レンズ検出部５０、操作部６０、プロジェクタ情報記憶部７０、歪補正部１００およびプロジェクタ制御部１１０を有する。シフト駆動制御部４０は、投射レンズ１を光軸と直交する水平方向および垂直方向にアクチュエータによりシフト駆動するシフト駆動部４１と、エンコーダ等により投射レンズ１のシフト位置を取得するシフト位置取得部４２とを有する。投射レンズ１をシフトさせることにより、被投射面上で投射画像を水平方向や垂直方向に移動させることが可能である。本実施例では、プロジェクタ２にシフト駆動制御部を備えているが、投射レンズ１にシフトレンズとシフト駆動制御部を備え、シフトレンズを光軸と直交する水平方向および垂直方向に駆動させてもよい。後述する他の実施例でも同様である。
【００２２】
レンズ検出部５０は、投射レンズ１（または他の投射レンズ）がプロジェクタ２に装着されたことを検出する。レンズ検出部５０は、スイッチまたはプロジェクタ２と投射レンズ１がそれぞれ有する電極の接触により投射レンズ１の装着を検出する。
【００２３】
操作部６０は、ユーザによる投射レンズ１のフォーカス、周辺フォーカス、ズームおよびシフトの操作や、幾何学歪補正および各種投射モードの設定等を行うための操作を受け付ける。
【００２４】
プロジェクタ情報記憶部７０は、不揮発性メモリ（ＥＥＰＲＯＭ）等により構成され、プロジェクタ２の種別（機種）や個体を識別可能なプロジェクタ識別情報（プロジェクタＩＤ）を記憶している。プロジェクタＩＤは、プロジェクタ２の機種名称や製造番号等である。
【００２５】
歪補正部１００は、プロジェクタ制御部１１０によって設定された補正パラメータに従って投射画像の幾何学歪を補正するための歪補正処理を行う。幾何学歪には、台形歪のように被投射面に対する投射レンズ１の向きに応じて発生するものや、投射レンズ１の収差の影響によって投射画像上に生じるレジストレーションずれ等がある。歪補正部１００は、外部から入力された映像信号（入力画像信号）から画像形成部８０内の画像形成素子を駆動する駆動信号を生成する際に信号処理としての歪補正処理を行う。
【００２６】
マイクロコンピュータにより構成されるプロジェクタ制御部１１０は、レンズ検出部５０により投射レンズ１の装着が検出されると、レンズ情報記憶部１０からそこに記憶されているデータ（レンズＩＤおよびレンズ投射設定テーブル）を取得する。また、プロジェクタ制御部１１０は、プロジェクタ情報記憶部７０からそこに記憶されているデータ（プロジェクタＩＤ）を取得する。
【００２７】
プロジェクタ制御部１１０は、操作部６０にて受け付けたユーザによる操作に応じて、画像形成部８０内の画像形成素子を駆動し、フォーカス駆動制御部２０、周辺フォーカス駆動制御部２３、ズーム駆動制御部３０およびシフト駆動制御部４０を制御する。これにより、被投射面上への画像投射が行われ、投射レンズ１のフォーカス、周辺フォーカス、ズームおよびシフトが制御される。また、プロジェクタ制御部１１０は、操作部６０において受け付けた操作に応じて、歪補正部１００に歪補正処理を行わせる。プロジェクタ制御部１１０内には、投射レンズ１とプロジェクタ２との組み合わせを判定する組合せ判定部９０が設けられている。
【００２８】
次に、図２のフローチャートを用いて本実施例においてプロジェクタ２（プロジェクタ制御部１１０）が行う処理について説明する。以下の説明において、「Ｓ」はステップを意味する。プロジェクタ制御部１１０は、コンピュータプログラムに従って本処理を実行する。これらのことは後述する他の実施例でも同様である。また、プロジェクタ制御部１１０は、判定手段、情報取得手段および制御手段として機能する。
【００２９】
投射レンズ１がプロジェクタ２に装着されると、プロジェクタ制御部１１０はＳ１０１において、投射レンズ１のレンズ情報記憶部１０からレンズＩＤを取得する。
【００３０】
次にＳ１０２では、プロジェクタ制御部１１０は、レンズ情報記憶部１０に記憶されているレンズ投射設定テーブルからレンズ組合せ情報を取得する。
【００３１】
図４（Ａ）は、レンズ情報記憶部１０に記憶されたデータの例を示す。レンズ情報記憶部１０には、上述した投射レンズ１のレンズＩＤ（＝ａ）とレンズ投射設定テーブルが記憶されている。レンズ投射設定テーブルは、投射レンズ１と過去に投射レンズ１が装着されたことがある複数のプロジェクタとの組合せ（ａ１，ａ２，ａ３）を示すレンズ組合せ情報と、該組合せごとの投射設定情報とを含む。投射設定情報は、周辺フォーカスレンズの位置を示す周辺フォーカスポジション情報、フォーカスレンズの位置を示すフォーカスポジション情報およびズームレンズの位置を示すズームポジション情報を含む。さらに投射設定情報は、投射レンズ１のシフト位置を示すシフトポジション情報や、歪補正処理における補正パラメータを示すキーストーン設定情報およびレジストレーションずれを補正するために用いられるサブピクセル設定情報を含む。
【００３２】
レンズ組合せ情報は、Ｓ１０１で取得したレンズＩＤと後述するようにプロジェクタ情報記憶部７０から取得するプロジェクタＩＤとを用いて、現在の投射レンズ１とプロジェクタ２の組合せと一致する組合せが含まれているか否かを判断できる情報であればよい。例えば、投射レンズ１とプロジェクタ２の組合せを識別するための組合せＩＤを示す情報であってもよいし、投射レンズ１が装着されたことがあるプロジェクタのプロジェクタＩＤのみの情報であってもよい。
【００３３】
次にＳ１０３では、プロジェクタ制御部１１０は、プロジェクタ情報記憶部７０から、プロジェクタＩＤを取得する。
【００３４】
次にＳ１０４では、プロジェクタ制御部１１０（組合せ判定部９０）は、Ｓ１０２でレンズ情報記憶部１０から取得したレンズ組合せ情報の中に現在の投射レンズ１とプロジェクタ２の組合せと一致する組合せが存在するか否か（過去の装着の有無）を判定する。プロジェクタ制御部１１０は、一致する組合せが存在する（過去の装着がある）場合はＳ１０５に進み、一致する組合せが存在しない場合はＳ１０６に進む。
【００３５】
Ｓ１０５では、プロジェクタ制御部１１０は、投射レンズ１がプロジェクタ２に再び装着されたものとして、ユーザによる現在の投射レンズ１とプロジェクタ２の組合せに対応する投射設定情報の使用を許可する。例えば、不図示のオンスクリーンディスプレイ（ＯＳＤ）等により表示されるメニュー画面において、レンズ投射設定テーブル内の投射レンズ１とプロジェクタ２との組合せに紐付けられた投射設定情報の使用をユーザが選択できるようにする。
【００３６】
操作部６０を通じてユーザによる上記投射設定情報の選択を検出したプロジェクタ制御部１１０は、該投射設定情報をレンズ情報記憶部１０から取得する。そして、プロジェクタ制御部１１０は、取得した投射設定情報に基づいてフォーカス駆動制御部２０、周辺フォーカス駆動制御部２３、ズーム駆動制御部３０およびシフト駆動制御部４０を制御する。これにより、フォーカスレンズ、周辺フォーカスレンズ、ズームレンズおよび投射レンズ１が投射設定情報に対応する光軸方向位置およびシフト位置に移動した状態が得られる。さらに、プロジェクタ制御部１１０は、投射設定情報に基づいて歪補正部１００に歪補正処理を行わせる。これにより、台形歪やレジストレーションずれが補正される。このようにして、プロジェクタ制御部１１０は、投射レンズ１およびプロジェクタ２を投射設定情報に対応する設定になるように制御する。
【００３７】
一方、Ｓ１０６では、プロジェクタ制御部１１０は、ユーザによる投射設定情報の使用を不許可にする。例えば、上記メニュー画面においてレンズ投射設定テーブル内の投射レンズ１とプロジェクタ２との組合せに紐付けられた投射設定情報の使用をユーザが選択できないようにする。
【００３８】
Ｓ１０５またはＳ１０６の処理を行ったプロジェクタ制御部１１０は、本処理を終了する。
【００３９】
本実施例によれば、過去に組み合わされた投射レンズ１とプロジェクタ２が再び組み合わされた場合に、記憶された投射設定情報を用いて簡単に過去と同じ投射設定を再現することができる。また、過去の投射設定情報は投射レンズ１に記憶されているので、プロジェクタ２に様々な投射レンズの投射設定情報を記憶させる大きな容量のメモリを用意する必要をなくすることができる。
【実施例２】
【００４０】
次に、本発明の実施例２について説明する。本実施例のプロジェクタおよび交換レンズの構成は、図１に示した実施例のプロジェクタ２および投射レンズ１の構成と同じである。
【００４１】
図３のフローチャートを用いて本実施例においてプロジェクタ２（プロジェクタ制御部１１０）が行う処理について説明する。本実施例でも、レンズ情報記憶部１０は、実施例１で説明したレンズ投射設定テーブル（レンズ組合せ情報とこれに紐付けられた投射設定情報）を記憶している。また、本実施例では、プロジェクタ情報記憶部７０は、プロジェクタＩＤと、プロジェクタ２と投射レンズ１を含む１または複数の投射レンズとの組合せを示すプロジェクタ組合せ情報と投射設定情報とを紐付けたデータテーブルとしてのプロジェクタ投射設定テーブルを記憶している。プロジェクタ投射設定テーブルについては後述する。
【００４２】
投射レンズ１がプロジェクタ２に装着されると、プロジェクタ制御部１１０はＳ２０１において、投射レンズ１のレンズ情報記憶部１０からレンズＩＤを取得する。
【００４３】
次にＳ２０２では、プロジェクタ制御部１１０は、レンズ情報記憶部１０に記憶されているレンズ投射設定テーブルからレンズ組合せ情報を取得する。
【００４４】
次にＳ２０３では、プロジェクタ制御部１１０は、プロジェクタ情報記憶部７０に記憶されているプロジェクタＩＤを取得する。
【００４５】
次にＳ２０４では、プロジェクタ制御部１１０は、プロジェクタ情報記憶部７０に記憶されているプロジェクタ投射設定テーブルからプロジェクタ組合せ情報を取得する。
【００４６】
図４（Ｂ）は、プロジェクタ情報記憶部７０に記憶されたデータの例を示す。プロジェクタ情報記憶部７０には、プロジェクタ２のプロジェクタＩＤ（＝Ａ）とプロジェクタ投射設定テーブルが記憶されている。プロジェクタ投射設定テーブルは、プロジェクタ２と過去にプロジェクタ２に装着されたことがある複数の投射レンズとの組合せ（Ａ１，Ａ２，Ａ３）を示すプロジェクタ組合せ情報と、該組合せごとの投射設定情報とを含む。投射設定情報は、レンズ情報記憶部１０に記憶されたレンズ投射設定テーブルと同様に、周辺フォーカスポジション情報、フォーカスポジション情報、ズームポジション情報、シフトポジション情報およびサブピクセル設定情報を含む。
【００４７】
プロジェクタ組合せ情報は、Ｓ２０１で取得したレンズＩＤとプロジェクタＩＤとを用いて、現在の投射レンズ１とプロジェクタ２の組合せと一致する組合せが含まれているか否かを判断できる情報であればよい。例えば、投射レンズ１とプロジェクタ２の組合せを識別するための組合せＩＤを示す情報であってもよい。
【００４８】
次にＳ２０５では、プロジェクタ制御部１１０（組合せ判定部９０）は、Ｓ２０２でレンズ情報記憶部１０から取得したレンズ組合せ情報の中に現在の投射レンズ１とプロジェクタ２の組合せと一致する組合せが存在するか否かを判定する。さらに、プロジェクタ制御部１１０は、Ｓ２０４でプロジェクタ情報記憶部７０から取得したプロジェクタ組合せ情報の中に現在の投射レンズ１とプロジェクタ２の組合せと一致する組合せが存在するか否かを判定する。そして、プロジェクタ制御部１１０は、一致する組合せがレンズ組合せ情報とプロジェクタ組合せ情報の双方に存在するか否かを判定する。プロジェクタ制御部１１０は、一致する組合せがレンズ組合せ情報とプロジェクタ組合せ情報の双方に存在する場合はＳ２１２に進む。また、一致する組合せがレンズ組合せ情報とプロジェクタ組合せ情報のうち一方にのみ存在する場合および一致する組合せがレンズ組合せ情報とプロジェクタ組合せ情報のいずれにも存在しない場合はＳ２０６に進む。
【００４９】
Ｓ２０６では、プロジェクタ制御部１１０は、上記一致する組合せがプロジェクタ組合せ情報に存在するか否かを判定する。プロジェクタ制御部１１０は、一致している組合せがプロジェクタ組合せ情報に存在する場合はステップＳ２０７に進み、そうでない場合はステップＳ２０９に進む。
【００５０】
Ｓ２０７では、プロジェクタ制御部１１０は、プロジェクタ情報記憶部７０から、上記一致する組合せに紐付けられた投射設定情報を取得する。
【００５１】
次にＳ２０８では、プロジェクタ制御部１１０は、Ｓ２０７でプロジェクタ情報記憶部７０から取得した投射設定情報を上記一致する組合せと紐付けてレンズ情報記憶部１０に複製する。
【００５２】
図５（ａ）〜（ｃ）は、この投射設定情報の複製処理を示す。図５（ａ）には、現在の投射レンズ（レンズＩＤ＝ａ）とプロジェクタ（プロジェクタＩＤ＝Ａ）の組合せがプロジェクタ組合せ情報には存在するが、レンズ組合せ情報には存在しない場合を示す。この場合、プロジェクタ制御部１１０は、図５（ｂ）に示すように、レンズ設定情報テーブルのうち１つの組合せ（ａ×Ｚ）に紐付けられた投射設定情報を削除する。削除される投射設定情報は、例えば、タイムスタンプ等により判定された最も古い組合せの投射設定情報や、カウントされた使用頻度が最も低い組合せの投射設定情報である。次にプロジェクタ制御部１１０は、図５（ｃ）に示すように、プロジェクタ情報記憶部７０から取得した現在の投射レンズとプロジェクタの組合せ（ａ×Ａ）に対応する投射設定情報を該組合せに紐付けて、レンズ情報記憶部１０にて投射設定情報を削除した領域に複製する。この後、プロジェクタ制御部１１０はＳ２１２に進む。
【００５３】
Ｓ２０９では、プロジェクタ制御部１１０は、上記一致する組合せがレンズ組合せ情報に存在するか否かを判定する。プロジェクタ制御部１１０は、一致している組合せがレンズ組合せ情報に存在する場合はステップＳ２１０に進み、そうでない場合（一致している組合せがレンズ組合せ情報とプロジェクタ組合せ情報のいずれにも存在しない場合）はＳ２１３に進む。
【００５４】
Ｓ２１０では、プロジェクタ制御部１１０は、レンズ情報記憶部１０から、上記一致する組合せに紐付けられた投射設定情報を取得する。
【００５５】
そして、Ｓ２１１では、プロジェクタ制御部１１０は、Ｓ２１０でレンズ情報記憶部１０から取得した投射設定情報を上記一致する組合せと紐付けてプロジェクタ情報記憶部７０に複製する。
【００５６】
図６（ａ）〜（ｃ）は、この投射設定情報の複製処理を示す。図６（ａ）には、現在の投射レンズ（レンズＩＤ＝ａ）とプロジェクタ（プロジェクタＩＤ＝Ａ）の組合せがレンズ組合せ情報には存在するが、プロジェクタ組合せ情報には存在しない場合を示す。この場合、プロジェクタ制御部１１０は、図６（ｂ）に示すように、レンズ投射設定テーブルのうち１つの組合せ（ｚ×Ａ）に紐付けられた投射設定情報を削除する。削除される投射設定情報は、図５（ｂ）で説明したレンズ情報記憶部１０から削除されるものと同様である。次にプロジェクタ制御部１１０は、図６（ｃ）に示すように、レンズ情報記憶部１０から取得した現在の投射レンズとプロジェクタの組合せ（ａ×Ａ）に対応する投射設定情報を該組合せに紐付けて、プロジェクタ情報記憶部７０にて投射設定情報を削除した領域に複製する。この後、プロジェクタ制御部１１０はＳ２１２に進む。
【００５７】
Ｓ２１２では、プロジェクタ制御部１１０は、実施例１のＳ１０５と同様に、ユーザによる現在の投射レンズ１とプロジェクタ２の組合せに対応する投射設定情報の使用を許可する。操作部６０を通じてユーザによる上記投射設定情報の選択を検出したプロジェクタ制御部１１０は、該投射設定情報をプロジェクタ情報記憶部７０またはレンズ情報記憶部１０から取得する。そして、プロジェクタ制御部１１０は、取得した投射設定情報に基づいてフォーカス駆動制御部２０、周辺フォーカス駆動制御部２３、ズーム駆動制御部３０およびシフト駆動制御部４０を制御する。さらに、プロジェクタ制御部１１０は、投射設定情報に基づいて歪補正部１００に歪補正処理を行わせる。このようにして、プロジェクタ制御部１１０は、投射レンズ１およびプロジェクタ２を投射設定情報に対応する設定になるように制御する。
【００５８】
一方、Ｓ２１３では、プロジェクタ制御部１１０は、実施例１のＳ１０６と同様に、ユーザによる投射設定情報の使用を不許可にする。Ｓ２１２またはＳ２１３の処理を行ったプロジェクタ制御部１１０は、本処理を終了する。
【００５９】
本実施例によれば、過去に組み合わされた投射レンズ１とプロジェクタ２が再び組み合わされた場合に、記憶された投射設定情報を用いて簡単に過去と同じ投射設定を再現することができる。また、過去に組み合わされたにもかかわらずそのときの投射設定情報が投射レンズ１とプロジェクタ２のうち一方に残っていなくても、他方に記憶されている投射設定情報を一方に複製することができる。こうして投射設定情報を投射レンズ１とプロジェクタ２の双方に記憶させることで、投射設定情報を効果的に使用可能である。
【００６０】
具体的には、１台のプロジェクタに対して複数種類の投射レンズを装着して使用する場合、プロジェクタ情報記憶部の情報は投射レンズが装着される度に記憶される。つまり、過去に装着した投射レンズの投射設定情報が削除され記憶されていなことがある。しかし、このように使用される場合でも、投射レンズのレンズ情報記憶部に記憶されている投射設定情報は削除されることがないため、該投射設定情報を用いることで簡単に過去と同じ投射設定を再現することができる。また、複数のプロジェクタで１つの投射レンズを交換して使用する場合、投射レンズ情報記憶部の情報は装着されるプロジェクタが変更になるごとに記憶される。つまり、過去に装着されたプロジェクタの投射設定情報が削除され記憶されていないことがある。しかし、このように使用される場合、プロジェクタのプロジェクタ情報記憶部に記憶されている投射設定情報は削除されることがないため、該投射設定情報を用いることで簡単に過去と同じ投射設定を再現することができる。
【実施例３】
【００６１】
次に、本発明の実施例３について説明する。図７は、実施例３である画像投射装置としてのレンズ交換式プロジェクタ２′および該プロジェクタ２′に装着された投射レンズ１の構成を示している。プロジェクタ２′には、投射レンズ１を含む複数の投射レンズが着脱可能に装着することができる。また、プロジェクタ２′は、実施例１のプロジェクタ２に姿勢検出部（姿勢検出手段）２００を設けたものであり、他の構成要素はプロジェクタ２と同じである。投射レンズ１の構成は、実施例１の投射レンズ１と同じである。実施例１と共通する構成要素には実施例１と同じ符号を付している。
【００６２】
姿勢検出部２００は、加速度センサやジャイロセンサ等により構成され、図８（ａ）〜（ｄ）に示すようにプロジェクタ２′の様々な設置姿勢を検出する。図８（ａ）は通常設置姿勢、図８（ｂ）は天吊り姿勢、図８（ｃ）は上向き姿勢、図８（ｄ）は下向き姿勢を示している。プロジェクタ制御部１１０は、姿勢検出部２００からプロジェクタ２′の設置姿勢の情報を取得し、以下に説明するように該設置姿勢に応じた処理を行う。このこと以外のプロジェクタ制御部１１０の機能は、実施例１と同じである。
【００６３】
投射レンズ１内のレンズ情報記憶部１０には、実施例１で説明したレンズＩＤが記憶されている。また、レンズ情報記憶部１０には、実施例１で説明したレンズ組合せ情報とそれぞれの組合せで使用されたときの投射レンズ１の設置姿勢とに紐付けられた投射設定情報を含むレンズ投射設定テーブルが記憶されている。
【００６４】
一方、プロジェクタ２′内のプロジェクタ情報記憶部７０には、実施例１で説明したプロジェクタＩＤが記憶されている。また、プロジェクタ情報記憶部７０には、実施例２で説明したプロジェクタ組合せ情報とそれぞれの組合せで使用されたときのプロジェクタ２′の設置姿勢とに紐付けられた投射設定情報を含むプロジェクタ投射設定テーブルが記憶されている。
【００６５】
図１０（Ａ）は、レンズ情報記憶部１０に記憶されたデータの例を示す。レンズ情報記憶部１０には、投射レンズ１のレンズＩＤ（＝ｅ）とレンズ投射設定テーブルが記憶されている。レンズ投射設定テーブルは、投射レンズ１と過去に投射レンズ１が装着されたことがある複数のプロジェクタとの組合せ（ｅ１，ｅ２，ｅ３）を示すレンズ組合せ情報と、該組合せごとの投射レンズ１の設置姿勢を示すレンズ姿勢情報と、該組合せごとの投射設定情報とを含む。投射設定情報は、実施例１と同様に、周辺フォーカスポジション情報、フォーカスポジション情報、ズームポジション情報、シフトポジション情報およびサブピクセル設定情報を含む。
【００６６】
図１０（Ｂ）は、プロジェクタ情報記憶部７０に記憶されたデータの例を示す。プロジェクタ情報記憶部７０には、プロジェクタ２′のプロジェクタＩＤ（＝ｆ）とプロジェクタ投射設定テーブルが記憶されている。プロジェクタ投射設定テーブルは、プロジェクタ２と過去にプロジェクタ２′に装着されたことがある複数の投射レンズとの組合せ（ｆ１，ｆ２，ｆ３）を示すプロジェクタ組合せ情報と、該組合せごとのプロジェクタ２′の設置姿勢を示すプロジェクタ姿勢情報と、該組合せごとの投射設定情報とを含む。投射設定情報は、レンズ投射設定テーブルと同様に、周辺フォーカスポジション情報、フォーカスポジション情報、ズームポジション情報、シフトポジション情報およびサブピクセル設定情報を含む。
【００６７】
次に、図９のフローチャートを用いて本実施例においてプロジェクタ２′（プロジェクタ制御部１１０）が行う処理について説明する。
【００６８】
投射レンズ１がプロジェクタ２′に装着されると、プロジェクタ制御部１１０はＳ３００において、姿勢検出部２００から現在のプロジェクタ２′の設置姿勢の情報を取得する。
【００６９】
次にＳ３０１では、プロジェクタ制御部１１０は、プロジェクタ情報記憶部７０に記憶されているプロジェクタ投射設定テーブルからプロジェクタ姿勢情報を取得する。
【００７０】
次にＳ３０２では、プロジェクタ制御部１１０は、Ｓ３０１で取得したプロジェクタ姿勢情報の中にＳ３００で取得した現在のプロジェクタ２′の設置姿勢に一致する設置姿勢が存在するか否かを判定する。プロジェクタ制御部１１０は、一致する設置姿勢が存在する場合はＳ３０３に進み、一致する設置姿勢が存在しない場合はＳ３０４に進む。
【００７１】
Ｓ３０３では、プロジェクタ制御部１１０は、プロジェクタ情報記憶部７０に記憶されているプロジェクタ投射設定テーブルから現在のプロジェクタ２′の設置姿勢に一致する設置姿勢に紐付けられたプロジェクタ組合せ情報を取得する。この後、プロジェクタ制御部１１０はＳ３０７に進む。
【００７２】
一方、Ｓ３０４では、プロジェクタ制御部１１０は、レンズ情報記憶部１０に記憶されているレンズ投射設定テーブルからレンズ姿勢情報を取得する。
【００７３】
次にＳ３０５では、プロジェクタ制御部１１０は、Ｓ３０４で取得したレンズ姿勢情報の中にＳ３００で取得した現在のプロジェクタ２′（つまりは投射レンズ１）の設置姿勢に一致する設置姿勢が存在するか否かを判定する。プロジェクタ制御部１１０は、一致する設置姿勢が存在する場合はＳ３０６に進み、一致する設置姿勢が存在しない場合はＳ３１１に進む。
【００７４】
Ｓ３０６では、プロジェクタ制御部１１０は、レンズ情報記憶部１０に記憶されているレンズ投射設定テーブルから現在の投射レンズ１の設置姿勢に一致する設置姿勢に紐付けられたレンズ組合せ情報を取得する。この後、プロジェクタ制御部１１０はＳ３０７に進む。
【００７５】
Ｓ３０７では、プロジェクタ制御部１１０は、プロジェクタ情報記憶部７０に記憶されているプロジェクタＩＤを取得する。また、Ｓ３０８では、プロジェクタ制御部１１０は、レンズ情報記憶部１０に記憶されているレンズＩＤを取得する。
【００７６】
そしてＳ３０９では、プロジェクタ制御部１１０（組合せ判定部９０）は、Ｓ３０３で取得したプロジェクタ組合せ情報の中またはＳ３０６で取得したレンズ組合せ情報の中に現在の投射レンズ１とプロジェクタ２′の組合せと一致する組合せが存在するか否かを判定する。プロジェクタ制御部１１０は、一致する組合せがプロジェクタ組合せ情報またはレンズ組合せ情報の中に存在する場合はＳ３１０に進む。また、一致する組合せが存在しない場合はＳ３１１に進む。
【００７７】
Ｓ３１０では、プロジェクタ制御部１１０は、実施例１のＳ１０５と同様に、ユーザによる現在の投射レンズ１とプロジェクタ２′の組合せに対応する投射設定情報の使用を許可する。操作部６０を通じてユーザによる上記投射設定情報の選択を検出したプロジェクタ制御部１１０は、該投射設定情報をプロジェクタ情報記憶部７０またはレンズ情報記憶部１０から取得する。そして、プロジェクタ制御部１１０は、取得した投射設定情報に基づいてフォーカス駆動制御部２０、周辺フォーカス駆動制御部２３、ズーム駆動制御部３０およびシフト駆動制御部４０を制御する。さらに、プロジェクタ制御部１１０は、投射設定情報に基づいて歪補正部１００に歪補正処理を行わせる。このようにして、プロジェクタ制御部１１０は、投射レンズ１およびプロジェクタ２′を投射設定情報に対応する設定になるように制御する。
【００７８】
一方、Ｓ３１１では、プロジェクタ制御部１１０は、実施例１のＳ１０６と同様に、ユーザによる投射設定情報の使用を不許可にする。Ｓ３１０またはＳ３１１の処理を行ったプロジェクタ制御部１１０は、本処理を終了する。
【００７９】
本実施例によれば、過去に組み合わされた投射レンズ１とプロジェクタ２′が再び組み合わされた場合に、記憶された投射設定情報を用いて簡単に過去と同じ投射設定を再現することができる。さらに、過去の投射レンズ１とプロジェクタ２′の組合せだけでなく、過去のそれらの設置姿勢が現在の投射レンズ１とプロジェクタ２′の設置姿勢に一致する場合に投射設定情報を使用して投射レンズ１とプロジェクタ２′の投射設定を行う。これにより、過去の設置姿勢に対応した投射設定状態を簡単に得ることができる。
【実施例４】
【００８０】
次に、本発明の実施例４について説明する。図１１は、実施例４である画像投射装置としてのレンズ交換式プロジェクタ２″および該プロジェクタ２″に装着された投射レンズ１の構成を示している。プロジェクタ２″には、投射レンズ１を含む複数の投射レンズが着脱可能に装着することができる。また、プロジェクタ２″は、実施例３のプロジェクタ２′に測距部（測距手段）１２０を設けたものであり、他の構成要素はプロジェクタ２′と同じである。投射レンズ１の構成は、実施例１の投射レンズ１と同じである。実施例１と共通する構成要素には実施例１と同じ符号を付している。
【００８１】
測距部１２０は、赤外センサ等により構成され、プロジェクタ２″と被投射面との間の距離（以下、投射距離という）を測定する。プロジェクタ制御部１１０は、姿勢検出部２００からプロジェクタ２″の設置姿勢の情報を取得するとともに測距部１２０から投射距離の情報を取得し、以下に説明するように設置姿勢と投射距離に応じた処理を行う。このこと以外のプロジェクタ制御部１１０の機能は、実施例１と同じである。
【００８２】
投射レンズ１内のレンズ情報記憶部１０には、実施例１で説明したレンズＩＤが記憶されている。また、レンズ情報記憶部１０には、実施例１で説明したレンズ組合せ情報と実施例３で説明した組合せごとの投射レンズ１の設置姿勢、さらにはそれぞれの組合せで使用されたときの投射距離に紐付けられた投射設定情報を含むレンズ投射設定テーブルが記憶されている。
【００８３】
一方、プロジェクタ２″内のプロジェクタ情報記憶部７０には、実施例１で説明したプロジェクタＩＤが記憶されている。また、プロジェクタ情報記憶部７０には、実施例２で説明したプロジェクタ組合せ情報と実施例３で説明した組合せごとのプロジェクタ２″の設置姿勢、さらにはそれぞれの組合せで使用されたときの投射距離に紐付けられた投射設定情報を含むプロジェクタ投射設定テーブルが記憶されている。
【００８４】
図１３（Ａ）は、レンズ情報記憶部１０に記憶されたデータの例を示す。レンズ情報記憶部１０には、投射レンズ１のレンズＩＤ（＝ｇ）とレンズ投射設定テーブルが記憶されている。レンズ投射設定テーブルは、投射レンズ１と過去に投射レンズ１が装着されたことがある複数のプロジェクタとの組合せ（ｇ１，ｇ２，ｇ３）を示すレンズ組合せ情報と、該組合せごとの投射レンズ１の設置姿勢を示すレンズ姿勢情報および投射距離を示すレンズ距離情報と、該組合せごとの投射設定情報とを含む。投射設定情報は、実施例１と同様に、周辺フォーカスポジション情報、フォーカスポジション情報、ズームポジション情報、シフトポジション情報およびサブピクセル設定情報を含む。
【００８５】
図１３（Ｂ）は、プロジェクタ情報記憶部７０に記憶されたデータの例を示す。プロジェクタ情報記憶部７０には、プロジェクタ２″のプロジェクタＩＤ（＝ｈ）とプロジェクタ投射設定テーブルが記憶されている。プロジェクタ投射設定テーブルは、プロジェクタ２″と過去にプロジェクタ２″に装着されたことがある複数の投射レンズとの組合せ（ｈ１，ｈ２，ｈ３）を示すプロジェクタ組合せ情報と、該組合せごとのプロジェクタ２″の設置姿勢を示すプロジェクタ姿勢情報および投射距離を示すプロジェクタ距離情報と、該組合せごとの投射設定情報とを含む。投射設定情報は、レンズ投射設定テーブルと同様に、周辺フォーカスポジション情報、フォーカスポジション情報、ズームポジション情報、シフトポジション情報およびサブピクセル設定情報を含む。
【００８６】
図１２のフローチャートを用いて本実施例においてプロジェクタ２″（プロジェクタ制御部１１０）が行う処理について説明する。
【００８７】
投射レンズ１がプロジェクタ２″に装着されると、プロジェクタ制御部１１０はＳ４０１において、測距部１２０に投射距離を測定させ、該測距部１２０から投射距離を取得する。
【００８８】
次にＳ４０２では、プロジェクタ制御部１１０は、プロジェクタ情報記憶部７０に記憶されたプロジェクタ投射設定テーブルからプロジェクタ距離情報を取得する。
【００８９】
次にＳ４０３では、プロジェクタ制御部１１０は、Ｓ４０２で取得したプロジェクタ距離情報の中にＳ４０１で取得した現在のプロジェクタ２″の投射距離に一致する投射距離が存在するか否かを判定する。プロジェクタ制御部１１０は、一致する投射距離が存在する場合はＳ４０６に進み、一致する投射距離が存在しない場合はＳ４０４に進む。
【００９０】
Ｓ４０４では、プロジェクタ制御部１１０は、レンズ情報記憶部１０に記憶されたレンズ投射設定テーブルからレンズ距離情報を取得する。
【００９１】
次にＳ４０５では、プロジェクタ制御部１１０は、Ｓ４０４で取得したレンズ距離情報の中にＳ４０１で取得した現在のプロジェクタ２″の投射距離に一致する投射距離が存在するか否かを判定する。プロジェクタ制御部１１０は、一致する投射距離が存在する場合はＳ４０６に進み、一致する投射距離が存在しない場合はＳ４１７に進む。
【００９２】
Ｓ４０６では、プロジェクタ制御部１１０は、姿勢検出部２００から現在のプロジェクタ２″の設置姿勢の情報を取得する。
【００９３】
次にＳ４０７では、プロジェクタ制御部１１０は、プロジェクタ情報記憶部７０に記憶されているプロジェクタ投射設定テーブルからプロジェクタ姿勢情報を取得する。または、プロジェクタ制御部１１０は、レンズ情報記憶部１０に記憶されているレンズ投射設定テーブルからレンズ姿勢情報を取得する。
【００９４】
次にＳ４０８では、プロジェクタ制御部１１０は、Ｓ４０７で取得したプロジェクタまたはレンズ姿勢情報の中にＳ４０６で取得した現在のプロジェクタ２″の設置姿勢に一致する設置姿勢が存在するか否かを判定する。プロジェクタ制御部１１０は、一致する設置姿勢が存在する場合はＳ４０９に進み、一致する設置姿勢が存在しない場合はＳ４１７に進む。
【００９５】
Ｓ４０９では、プロジェクタ制御部１１０は、プロジェクタ情報記憶部７０に記憶されているプロジェクタ投射設定テーブルから、現在の投射距離および設置姿勢に一致する投射距離および設置姿勢に紐付けられたプロジェクタ組合せ情報を取得する。
【００９６】
次にＳ４１０では、プロジェクタ制御部１１０は、プロジェクタ情報記憶部７０からプロジェクタＩＤを取得する。さらにＳ４１１では、プロジェクタ制御部１１０は、レンズ情報記憶部１０からレンズＩＤを取得する。
【００９７】
そしてＳ４１２では、プロジェクタ制御部１１０（組合せ判定部９０）は、Ｓ４０９で取得したプロジェクタまたはレンズ組合せ情報の中に現在の投射レンズ１とプロジェクタ２″の組合せと一致する組合せが存在するか否かを判定する。プロジェクタ制御部１１０は、一致する組合せがプロジェクタまたはレンズ組合せ情報の中に存在する場合はＳ４１６に進む。また、一致する組合せが存在しない場合はＳ４１７に進む。
【００９８】
Ｓ４１６では、プロジェクタ制御部１１０は、実施例１のＳ１０５と同様に、ユーザによる現在の投射レンズ１とプロジェクタ２の組合せに対応する投射設定情報の使用を許可する。操作部６０を通じてユーザによる上記投射設定情報の選択を検出したプロジェクタ制御部１１０は、該投射設定情報をプロジェクタ情報記憶部７０またはレンズ情報記憶部１０から取得する。そして、プロジェクタ制御部１１０は、取得した投射設定情報に基づいてフォーカス駆動制御部２０、周辺フォーカス駆動制御部２３、ズーム駆動制御部３０およびシフト駆動制御部４０を制御する。さらに、プロジェクタ制御部１１０は、投射設定情報に基づいて歪補正部１００に歪補正処理を行わせる。このようにして、プロジェクタ制御部１１０は、投射レンズ１およびプロジェクタ２″を投射設定情報に対応する設定になるように制御する。
【００９９】
一方、Ｓ４１７では、プロジェクタ制御部１１０は、実施例１のＳ１０６と同様に、ユーザによる投射設定情報の使用を不許可にする。Ｓ２１２またはＳ２１３の処理を行ったプロジェクタ制御部１１０は、本処理を終了する。
【０１００】
本実施例によれば、過去に組み合わされた投射レンズ１とプロジェクタ２′が再び組み合わされた場合に、記憶された投射設定情報を用いて簡単に過去と同じ投射設定を再現することができる。さらに、過去の投射レンズ１とプロジェクタ２′の組合せだけでなく、過去のそれらの設置姿勢および投射距離が現在の投射レンズ１とプロジェクタ２′の設置姿勢および投射距離に一致する場合に投射設定情報を使用して投射レンズ１とプロジェクタ２′の投射設定を行う。これにより、過去の設置姿勢および投射距離に対応した投射設定状態を簡単に得ることができる。
【０１０１】
上記各実施例では、投射レンズおよびプロジェクタの両方を投射設定情報に対応する設定になるように制御する場合について説明したが、投射レンズおよびプロジェクタのうち一方を投射設定情報に対応する設定になるように制御してもよい。すなわち、投射レンズおよびプロジェクタのうち少なくとも一方を、該少なくとも一方の投射設定情報に対応する設定になるように制御すればよい。
【０１０２】
また、上記各実施例では、レンズ識別情報を用いて投射レンズの個体が過去の装着時と一致する場合に投射設定情報を用いた制御を行う場合について説明した。しかし、投射設定情報が記憶された投射レンズと同一機種の又は互換性を有する別の投射レンズがプロジェクタに装着された場合でも該投射設定情報を用いた制御を行ってもよい。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【０１０３】
以上説明した各実施例は代表的な例にすぎず、本発明の実施に際しては、各実施例に対して種々の変形や変更が可能である。
【符号の説明】
【０１０４】
１  投射レンズ
２，２′，２″  プロジェクタ
１０  レンズ情報記憶部
７０  プロジェクタ情報記憶部
１１０  プロジェクタ制御部
【図１】
2020008804.tif 000003
【図２】
2020008804.tif 000004
【図３】
2020008804.tif 000005
【図４】
2020008804.tif 000006
【図５】
2020008804.tif 000007
【図６】
2020008804.tif 000008
【図７】
2020008804.tif 000009
【図８】
2020008804.tif 000010
【図９】
2020008804.tif 000011
【図１０】
2020008804.tif 000012
【図１１】
2020008804.tif 000013
【図１２】
2020008804.tif 000014
【図１３】
2020008804.tif 000015